(57)【要約】【課題】工具交換時の回動筒の緩め方向への回動が容易となり、ラチェット歯の摩耗を抑制して長寿命化を図れるチャック装置の提供。【解決手段】回動筒１を回動させることにより本体２の先端に設けられた孔２ａに挿入される複数の爪３を拡縮動させ、この爪３により工具４を挟持するチャック装置であって、前記回動筒１の内方にして前記本体２には前記爪３と螺合し該回動筒１と共に回動する環状の回動体８が被嵌され、前記本体２若しくは前記回動体８には環状のラチェット歯５が設けられ、このラチェット歯５と係止する着脱自在な係止バネ体９が設けられており、前記回動筒１を締め方向に回動させて前記工具４に対する把持力が所定値となった後、締め方向への回動力を零にした際、前記ラチェット歯５と前記係止バネ体９との係止を強制的に解除させる係止解除機構を設ける。【選択図】図１
2018089751.tif 000002
【特許請求の範囲】
【請求項１】
回動筒を回動させることにより本体の先端に設けられた孔に挿入される複数の爪を拡縮動させ、この爪により工具を挟持するチャック装置であって、前記回動筒の内方にして前記本体には前記爪と螺合し該回動筒と共に回動する環状の回動体が被嵌され、前記本体若しくは前記回動体には環状のラチェット歯が設けられ、このラチェット歯と係止する着脱自在な係止バネ体が設けられており、前記回動筒を締め方向に回動させて前記工具に対する把持力が所定値となった後、締め方向への回動力を零にした際、前記ラチェット歯と前記係止バネ体との係止を強制的に解除させる係止解除機構が設けられていることを特徴とするチャック装置。
【請求項２】
請求項１記載のチャック装置において、前記回動筒の内面には、前記回動筒を締め方向に回動させる際、前記係止バネ体の被押圧部を押圧して弾性変形させる押圧変形部が設けられ、前記回動筒を締め方向に回動させて締付完了後、締め方向への回動力を零にした際、前記被押圧部の復帰変形による反発力により前記押圧変形部を押し返し前記回動筒を緩め方向に回動させることで、前記ラチェット歯と前記係止バネ体との係止を強制的に解除させる前記係止解除機構が採用されていることを特徴とするチャック装置。
【請求項３】
請求項１，２いずれか１項に記載のチャック装置において、前記回動筒を前記爪が縮閉する締め方向に回動させる際、前記ラチェット歯と係止していない前記係止バネ体を押圧して前記ラチェット歯と係止させる押圧部が前記回動筒の内面に設けられていることを特徴とするチャック装置。
【発明の詳細な説明】
【技術分野】
【０００１】
本発明は、チャック装置に関するものである。
【背景技術】
【０００２】
従来から、特許文献１に開示されるように、本体に設けた回動筒を回動させ、この回動筒と共に回動する回動ナットの回動により該回動ナットと螺合している爪を拡縮進退させ、工具を前記爪により把持するチャック装置がある。
【０００３】
ところで、特許文献１に開示されるチャック装置は、本体に設けられるラチェット歯と、回動筒及びラチェット歯の間に設けられラチェット歯と係止する係止バネ体とを用いた緩み防止機構が設けられている。この係止バネ体は、ラチェット歯と係止バネ体とが係止した状態では、回動筒の内面に設けられた窪みに一部が嵌入し、係止状態が保持される。
【０００４】
そのため、回動筒を締め方向に回動してラチェット歯と係止バネ体とを係止させて工具を爪により保持させた後、その工具を取り外す際には、回動筒を緩め方向に回動して爪を拡開させるのに先立ち、ラチェット歯と係止バネ体との係止を解除する必要がある。
【０００５】
ラチェット歯と係止バネ体との係止を解除させるには、回動筒をひねって係止バネ体の一部を窪みから脱出させる必要があり、ラチェット歯と係止バネ体との係止解除に相応の力が必要となる。
【０００６】
また、係止状態が保持されることで、係止バネ体とラチェット歯との係止によるラチェット歯の摩耗が早まる問題もある。
【先行技術文献】
【特許文献】
【０００７】
【特許文献１】特開２００５−３０５５７４号公報
【発明の概要】
【発明が解決しようとする課題】
【０００８】
本発明は、上述のような現状に鑑みなされたものであり、回動筒を締め方向に回動させて締付完了後、手を離して締め方向への回動力を零にした際、ラチェット歯と係止バネ体との係止を強制的に解除させる係止解除機構を設けることで、工具交換時の回動筒の緩め方向への回動が容易となり、また、ラチェット歯の摩耗を抑制して長寿命化を図れる極めて実用性に秀れたチャック装置を提供するものである。
【課題を解決するための手段】
【０００９】
添付図面を参照して本発明の要旨を説明する。
【００１０】
回動筒１を回動させることにより本体２の先端に設けられた孔２ａに挿入される複数の爪３を拡縮動させ、この爪３により工具４を挟持するチャック装置であって、前記回動筒１の内方にして前記本体２には前記爪３と螺合し該回動筒１と共に回動する環状の回動体８が被嵌され、前記本体２若しくは前記回動体８には環状のラチェット歯５が設けられ、このラチェット歯５と係止する着脱自在な係止バネ体９が設けられており、前記回動筒１を締め方向に回動させて前記工具４に対する把持力が所定値となった後、締め方向への回動力を零にした際、前記ラチェット歯５と前記係止バネ体９との係止を強制的に解除させる係止解除機構が設けられていることを特徴とするチャック装置に係るものである。
【００１１】
また、請求項１記載のチャック装置において、前記回動筒１の内面には、前記回動筒１を締め方向に回動させる際、前記係止バネ体９の被押圧部９ａを押圧して弾性変形させる押圧変形部11が設けられ、前記回動筒１を締め方向に回動させて締付完了後、締め方向への回動力を零にした際、前記被押圧部９ａの復帰変形による反発力により前記押圧変形部11を押し返し前記回動筒１を緩め方向に回動させることで、前記ラチェット歯５と前記係止バネ体９との係止を強制的に解除させる前記係止解除機構が採用されていることを特徴とするチャック装置に係るものである。
【００１２】
また、請求項１，２いずれか１項に記載のチャック装置において、前記回動筒１を前記爪３が縮閉する締め方向に回動させる際、前記ラチェット歯５と係止していない前記係止バネ体９を押圧して前記ラチェット歯５と係止させる押圧部10が前記回動筒１の内面に設けられていることを特徴とするチャック装置に係るものである。
【発明の効果】
【００１３】
本発明は上述のように構成したから、工具交換時の回動筒の緩め方向への回動が容易となり、また、ラチェット歯の摩耗を抑制して長寿命化を図れる極めて実用性に秀れたチャック装置となる。
【図面の簡単な説明】
【００１４】
【図１】実施例１の分解説明斜視図である。
【図２】実施例１の一部を切り欠いた正面図である。
【図３】図２のＡ−Ａ断面図である。
【図４】図２のＡ−Ａ断面図である。
【図５】実施例２の分解説明斜視図である。
【図６】実施例２の一部を切り欠いた正面図である。
【図７】実施例２の係止バネ体及びその周辺部材の展開図である。
【図８】実施例２の係止バネ体及びその周辺部材の展開図である。
【図９】実施例２の係止バネ体及びその周辺部材の展開図である。
【発明を実施するための形態】
【００１５】
好適と考える本発明の実施形態を、図面に基づいて本発明の作用を示して簡単に説明する。
【００１６】
回動筒１を締め方向に回動して爪３を縮閉させて工具４を保持させ、手を回動筒１から離すと、係止解除機構によりラチェット歯５と係止バネ体９との係止が自動的に解除される。
【００１７】
従って、保持させた工具４を取り外す際、特許文献１のように、回動筒１を緩め方向に回動させるのに先立って、回動筒１の内面の窪みに嵌入した係止バネ体９の一部を窪みから脱出させるために相応の力をかけて回動筒１をひねる必要がなく、即座に回動筒１を緩め方向に回動して爪３を拡開させることが可能となる。
【００１８】
また、常時係止バネ体９とラチェット歯５とを係止させないことで、ラチェット歯５の摩耗を抑制でき、長寿命化を図ることが可能となる。
【実施例１】
【００１９】
本発明の具体的な実施例１について図１〜４に基づいて説明する。
【００２０】
実施例１は、回動筒１を回動させることにより本体２の先端に設けられた孔２ａに挿入される複数の爪３を拡縮動させ、この爪３により工具４を挟持するチャック装置であって、前記本体２には環状のラチェット歯５が設けられ、前記回動筒１の内方にして前記本体２には前記爪３と螺合し該回動筒１と共に回動する環状の回動体８が被嵌され、前記ラチェット歯５の外方には該ラチェット歯５と係止する着脱自在な係止バネ体９が配設され、この係止バネ体９は前記回動体８の回動に伴いラチェット歯５の周囲を回動する状態で設けられ、この係止バネ体９は前記回動体１に凹凸嵌合手段により取り付けられており、また、前記回動筒１を前記爪３が縮閉する締め方向に回動させる際、前記ラチェット歯５と係止していない前記係止バネ体９を押圧して前記ラチェット歯５と係止させる押圧部10が前記回動筒１の内面に設けられ、且つ、前記回動筒１を前記爪３が拡開する緩め方向に回動させる際には前記係止バネ体９が前記ラチェット歯５と係止しないように構成され、更に、前記回動筒１を締め方向に回動させてラチェット歯５と係止バネ体９とを係止させ前記工具４に対する把持力が所定値となった後、締め方向への回動力を零にした際、前記ラチェット歯５と前記係止バネ体９との係止を強制的に解除させる係止解除機構が設けられているものである。
【００２１】
実施例１は、振動や衝撃を付与する所謂ハンマードリル，振動ドリル，ドライバードリル等の電動回動具に使用されるものである。
【００２２】
本体２は金属製（例えば鋼製）である。図１〜４に図示したように、本体２に形成した孔２ａには三本の爪３が傾斜状態で設けられ、この爪３の外面に形成された螺子部３ａと螺合する環状のナット体６が該爪３に被嵌状態で設けられている。
【００２３】
このナット体６は分割ナット体６であって、保形環７により保形されたものである。
【００２４】
尚、請求項における回動体８は、回動筒１と共に回動し、爪３と螺合するもので、実施例１の場合はナット体６と保形環７とで構成されるものである。従って、実施例１においては、ナット体６と回動筒１とを連結し、回動筒１を回動させてナット体６を回動させる構成としているが、例えば保形環７と回動筒１とを連結し、回動筒１を回動させて保形環７及びナット体６を回動させる構成としても良い。
【００２５】
ナット体６には、回動筒１の内面に設けられる突部16，17と係止して回動筒１の回転力をナット体６に伝達するための突部６ａ，６ｂ，６ｃ，６ｄが４個設けられている。また、この突部６ａ，６ｂには係止バネ体９が該ナット体６に対して共回り状態で取り付けられる。
【００２６】
具体的には、実施例１においては、係止バネ体９は、基端部をＵ字状に折り返して形成された被押圧部９ａとしての折り返し湾曲部９ａ及び先端部の先端係止部９ｂの間の中間部９ｃを２つの凸部６ａ，６ｂに跨って被嵌させるようにして取り付けられている。係止バネ体９は中間部９ｃの両端に凸部６ａ，６ｂの外側端面と対向係止する湾曲部９ｄ，９ｅが形成されるように折り曲げられている。この係止バネ体９の湾曲部９ｄ，９ｅとナット体６の突部６ａ，６ｂにより、係止バネ体９はナット体６と共回り状態に取り付けられる。
【００２７】
なお、係止バネ体９とナット体６との取り付けは、両者が共回り状態となる構成であれば上記構成に限られない。また、実施例１においては、係止バネ体９を、ナット体６に凹凸嵌合手段により取り付けた構成としているが、保形環７に凹凸嵌合手段により取り付けた構成としても良い。
【００２８】
また、ナット体６の前方にして本体２の周面には係止バネ体９の先端係止部９ｂと噛合する環状のラチェット歯５が形成されている。このラチェット歯５と前記先端係止部９ｂとの係合により、ナット体６は一方向にのみ回転可能な状態（逆転不能状態）が現出する。ナット体６には先端が本体２と接する回動筒１が被嵌され、この回動筒１はナット体６と共に回動する。
【００２９】
係止バネ体９は、金属製であり（鉄製や鋼製）、ラチェット歯５の周囲にして回動筒１の内面に支持される状態で配設される。尚、回動筒１の回転力は保形環７を経由して伝えても同様に伝達される。
【００３０】
係止バネ体９には、図２，３，４に図示したように、先端部には押圧部10と当接しラチェット歯５と係止する先端係止部９ｂが設けられ、また、基端部には押圧変形部11と当接する折り返し湾曲部９ａが設けられている。なお、係止バネ体９の基端はラチェット歯５と係止しないように構成されている。係止バネ体９は、帯材の曲げ加工により上記構成とすることができ、それだけ経済的に製作できる。
【００３１】
また、回動筒１の内面に設けられる押圧部10は、先端テーパー面により係止バネ体９の外面を押圧して該係止バネ体９の先端係止部９ｂをラチェット歯５に係止させるように構成されている。
【００３２】
また、回動筒１の内面には、回動筒１を締め方向に回動させる際、係止バネ体９の折り返し湾曲部９ａを押圧して弾性変形させる凸状の押圧変形部11が設けられている。
【００３３】
係止解除機構は、図３に図示した係止バネ体９とラチェット歯５とが係止していない係止解除状態から、回動筒１を締め方向（Ｘ方向）に回動させて図４に図示した係止状態とし、工具４に対する把持力を所定値として回動筒１から手を離すと（締付完了後、締め方向への回動力を零にすると）、折り返し湾曲部９ａの復帰変形による反発力（復元力）により押圧変形部11が押し返されて回動筒１が緩め方向（Ｙ方向）に強制的に回動され、ラチェット歯５と係止バネ体９との係止が強制的に解除される（図３の状態とする）ように構成されている。
【００３４】
なお、押圧変形部11と折り返し湾曲部９ａを上述のように構成することで、係止バネ体９とラチェット歯５との係止状態は維持されないが、爪３とナット体６とは増し締めにより強固に螺合しているため、接触等により多少回動筒１が緩み方向に回動したとしても緩みは生じない。
【００３５】
回動筒１（合成樹脂製）の外面には滑り防止凸条が形成され、また、回動筒１は先端が本体２に、後端が本体２に設けられた受け部材15に受けられている。
【００３６】
符号12は鋼球、13は鋼球受けである。この鋼球受け13は弾性を有している為、電動回動具の振動若しくは衝撃トルクにより、回動筒１が締め方向へ必要以上に回動することが防止される。符号14は回動筒１のＣ字状抜け止めリングである。
【００３７】
実施例１は上述のように構成したから、次の作用効果を奏する。
【００３８】
爪３で工具４を把持し、回動筒１を回動せしめると、回動筒１に所定の負荷がかかるまでは、回動筒１，ナット体６は一緒に回動し、よって、係止バネ体９もラチェット歯５の周囲を回動する。
【００３９】
回動筒１が所定の位置（爪３が工具４に当接する位置）まで回動すると、回動筒１に所定の負荷が作用し、その状態から更に図３中Ｘ方向に回動筒１を回動せしめると、回動筒１がナット体６に対して回動し、係止バネ体９の先端係止部９ｂを受けている押圧部10が先端係止部９ｂを押圧して該先端係止部９ｂはラチェット歯５と係止し、更に、突部16が突部６ｄの端面に、また、同様に突部17が突部６ｂの端面に当接して回動筒１とナット体６とは一体となり、更に回動筒１を回動させると、ラチェット歯５に係止している係止バネ体９の先端係止部９ｂが板バネ作用によりラチェット歯５を一歯ずつ乗り越えて所定のラチェット歯５に係止し（この状態はラチェット歯５により、逆転は生じない）、回動筒１の回動抵抗が強くなって締まりは完了する（図４の状態）。
【００４０】
尚、一歯ずつ乗り越えている状態は未だ締まりが完了しておらず、締まりが完了すると歯の乗り越えは生じない。
【００４１】
また、この締結状態は、回動筒１から手を離すことで上述した係止解除機構により自動的に解除されるため、爪３を拡開するには単に回動筒１を緩め方向に回動させるだけで良い。
【００４２】
即ち、保持させた工具４を取り外す際、特許文献１のように、回動筒１を緩め方向に回動させるのに先立って、回動筒１の内面の窪みに落ち込み嵌合した係止バネ体９の一部を窪みから脱出させるために相応の力をかけて回動筒１をひねる必要がなく、即座に回動筒１を緩め方向に回動して爪３を拡開させることが可能となる。
【００４３】
また、常時係止バネ体９とラチェット歯５とを係止させないことで、ラチェット歯５の摩耗を抑制でき、長寿命化を図ることが可能となる。
【００４４】
よって、実施例１は、工具交換時の回動筒の緩め方向への回動が容易となり、また、ラチェット歯の摩耗を抑制して長寿命化を図れる極めて実用性に秀れたものとなる。
【実施例２】
【００４５】
本発明の具体的な実施例２について図５〜９に基づいて説明する。
【００４６】
実施例２は、図５，６に図示したように、実施例１におけるラチェット歯５を本体２ではなく、回動体８に設けた例である。
【００４７】
具体的には、回動体８のナット体６の先端面に半円弧状にラチェット歯５を設け、このラチェット歯５と対向する回動筒１の先端部内面（上向き面25）との間に係止バネ体９を保持せしめ、この係止バネ体９とラチェット歯５とを係止させる構成である。
【００４８】
ナット体６の先端面には、回動筒１の先端部の前記上向き面25に設けられる２つの突部20と夫々係止して回動筒１の回転力をナット体６に伝達するための凹部21が１８０°間隔で２つ設けられている。
【００４９】
また、実施例２では保形環７の基端側に抜け止め部23が突設され、この抜け止め部23により回動筒１に抜け止め係止される。
【００５０】
実施例２における係止バネ体９は、金属製で薄板状の円環部材であり、上方に突出してナット体６の先端面に係止するか若しくはナット体６の先端面に設けた凹部24に配設される被押圧部９ａ、上方に突出してラチェット歯５と係止する係止部９ｂ及び下方に突出して回動体１の上向き面25と係止する突出部９ｆが設けられている。
【００５１】
具体的には、係止バネ体９（薄板）に切り込みを入れ、切り込みに（三方を）囲まれ若しくは挟まれた部位を上方若しくは下方に折り曲げて突出させることで、被押圧部９ａ、係止部９ｂ及び突出部９ｆが形成されている。なお、符号９ｇは凸部20を通過させるための窓孔である。また、突出部９ｆは、三方を切り込みで囲まれた片持ち帯状部位を下方に略直角に折り曲げて、更にその途中部を、先端が薄板に近接するように折返し屈曲させた形状としても良い。この場合、薄板の硬度が高い場合でも良好に突出部９ｆを形成可能となる。
【００５２】
この係止バネ体９は、回動筒１を締め方向に回動した際、係止バネ体９の下方に突出する突出部９ｆが、回動筒１の上向き面25に設けられた凹部22の押圧部10及び押圧変形部11を兼ねるテーパー面に押圧され、係止バネ体９が上方に移動してラチェット歯５側に押し付けられることで、上方に突出する係止部９ｂがラチェット歯５と係止し、逆転不能状態が現出する。それと共に、被押圧部９ａは、ナット体６の先端面若しくは凹部24の縁部に押し付けられて変形する。
【００５３】
従って、回動筒１から手を離すと、被押圧部９ａの復元力によりラチェット歯５と係止部９ｂとの係止が自動的に解除される。なお、凹部24及び係止解除時に凹部24に配設される被押圧部９ａを設けることで、係止バネ体９のラチェット歯５との係止の自動解除が良好に行われる。
【００５４】
即ち、係止解除機構は、図７に図示した係止バネ体９とラチェット歯５とが係止していない係止解除状態から、回動筒１を締め方向（Ｘ方向）に回動させて図８に図示した係止状態とし、更に回動させて図９に図示したような状態で増し締めを行った後、回動筒１から手を離すと（締付完了後、締め方向への回動力を零にすると）、被押圧部９ａの復帰変形による反発力（復元力）により押圧変形部11（凹部22のテーパ面）が押し返されて回動筒１が緩め方向（Ｙ方向）に強制的に回動され、ラチェット歯５と係止バネ体９との係止が強制的に解除される（図７の状態とする）ように構成されている。
【００５５】
その余は実施例１と同様である。
【符号の説明】
【００５６】
１  回動筒
２  本体
２ａ  孔
３  爪
４  工具
５  ラチェット歯
８  回動体
９  係止バネ体
９ａ  被押圧部
10  押圧部
11  押圧変形部
【図１】
2018089751.tif 000003
【図２】
2018089751.tif 000004
【図３】
2018089751.tif 000005
【図４】
2018089751.tif 000006
【図５】
2018089751.tif 000007
【図６】
2018089751.tif 000008
【図７】
2018089751.tif 000009
【図８】
2018089751.tif 000010
【図９】
2018089751.tif 000011